(57)【要約】【課題】Ｆ１．４程度と明るく、サジタルコマフレアをはじめとした諸収差を良好に補正した撮影レンズを提供する。【解決手段】物体側から順に、正の屈折力を有する前群Ｇｆ、開口絞りＳ、正の屈折力を有する後群Ｇｒから構成され、前記前群Ｇｆの最も像側に、正レンズＬｆ１と負レンズＬｆ２を接合し像側に凹面を向けたレンズ成分Ｌｆｂを配し、前記後群Ｇｒは物体側から順に、正レンズＬｒ１と負レンズＬｒ２を接合し物体側に凸面を向け、全体として負の屈折力を有するレンズ成分Ｌｒａ、物体側に凹面を向けた負レンズＬｒ３、正レンズＬｒ４を有し、特定の条件を満足することを特徴とする撮影レンズ。【選択図】図１
2019197130.tif 000002
【特許請求の範囲】
【請求項１】
物体側から順に、正の屈折力を有する前群Ｇｆ、開口絞りＳ、正の屈折力を有する後群Ｇｒから構成され、
前記前群Ｇｆの最も像側に、正レンズＬｆ１と負レンズＬｆ２を接合し像側に凹面を向けたレンズ成分 Ｌｆｂを配し、
前記後群Ｇｒは物体側から順に、正レンズＬｒ１と負レンズＬｒ２を接合し物体側に凸面を向け、全体として負の屈折力を有するレンズ成分Ｌｒａ、物体側に凹面を向けた負レンズＬｒ３、正レンズＬｒ４を有し、
下記条件式を満足することを特徴とする撮影レンズ。
（１）  １．３＜Ｆｒ／Ｆ＜２．５
（２）  −０．７＜１００×（Ｎ２−Ｎ１）／（Ｖ２−Ｖ１）＜−０．０５
Ｆｒ：前記後群Ｇｒの焦点距離
Ｆ：全系の焦点距離
Ｎ１：前記Ｌｒ１の屈折率
Ｎ２：前記Ｌｒ２の屈折率
Ｖ１：前記Ｌｒ１のアッベ数
Ｖ２：前記Ｌｒ２のアッベ数
【請求項２】
前記Ｌｒ１が下記条件式を満足することを特徴とする請求項１に記載の撮影レンズ。
（３）  ＰｇＦｒ１−（−０．００１８×Ｖ１＋０．６４８３）＞０
ＰｇＦｒ１：前記正レンズＬｒ１の部分分散比
Ｖ１：前記Ｌｒ１のアッベ数
【請求項３】
前記前群Ｇｆの最も像側に配置される前記レンズ成分Ｌｆｂを構成する前記正レンズＬｆ１が下記条件式を満足することを特徴とする請求項１又は２記載の撮影レンズ。
（４）  Ｖｆ１＞５０
（５）  ＰｇＦｆ１−（−０．００１８×Ｖｆ１＋０．６４８３）＞０
Ｖｆ１：前記正レンズＬｆ１のアッベ数
ＰｇＦｆ１：前記正レンズＬｆ１の部分分散比
【請求項４】
下記条件式を満たすことを特徴とする請求項1乃至３のいずれかに記載の撮影レンズ。
（６）  −１５＜（Ｒ＿ｆｉ＋Ｒ＿ｒｏ）／（Ｒ＿ｆｉ−Ｒ＿ｒｏ）＜−１
Ｒ＿ｆｉ：前記前群Ｇｆの最も像側の面の曲率半径
Ｒ＿ｒｏ：前記後群Ｇｒの最も物体側の面の曲率半径
【請求項５】
下記条件式を満足することを特徴とする請求項1乃至４のいずれかに記載の撮影レンズ。
（７）  −０．９＜Ｆｒ×（Ｎ２−Ｎ１）／Ｒａｃ＜−０．０５
Ｆｒ：前記後群Ｇｒの焦点距離
Ｎ１：前記Ｌｒ１の屈折率
Ｎ２：前記Ｌｒ２の屈折率
Ｒａｃ：前記レンズ成分Ｌｒａの接合面の曲率半径
【請求項６】
下記条件式を満足することを特徴とする請求項1乃至５のいずれかに記載の撮影レンズ。
（８）  −１．８＜Ｒ＿Ｌ３１／Ｄ＜−１．０
Ｒ＿Ｌｒ３１：前記負レンズＬｒ３の物体側の曲率半径
Ｄ：前記開口絞りＳから前記負レンズＬｒ３の物体側の面までの光軸上の距離
【請求項７】
下記条件式を満足することを特徴とする請求項1乃至６のいずれかに記載の撮影レンズ。
（９）  Ｎｐａｖｅ＜１．７５
Ｎｐａｖｅ：前記後群Ｇｒに含まれる正レンズの屈折率の平均値
【請求項８】
前記後群Ｇｒは、光軸から離れるにつれて負の屈折力が強くなる非球面を少なくとも1面有することを特徴とする請求項1乃至７のいずれかに記載の撮影レンズ。
【請求項９】
前記前群Ｇｆは物体側から順に、正または負の屈折力を有する第１レンズ群Ｇｆ１、正の屈折力を有する第２レンズ群Ｇｆ２より構成され、
無限遠から至近へのフォーカシングに際して、前記第１レンズ群Ｇｆ１を像面に対して固定し、前記第２レンズ群Ｇｆ２および後群Ｇｒが光軸上を物体側へ移動することを特徴とする請求項１乃至８のいずれかに記載の撮影レンズ。
【発明の詳細な説明】
【技術分野】
【０００１】
本発明は光学系に関し、たとえばデジタルスチルカメラ、デジタルビデオカメラ、シネマカメラ等の撮影装置に用いる撮影レンズに好適なものである。
【背景技術】
【０００２】
デジタルカメラをはじめとする光学機器に用いられる撮影光学系においては高速撮影や大きなボケを生かした表現に対応できるよう大口径比であることが求められている。さらに近年のＣＣＤ・ＣＭＯＳセンサーの高画素化に伴い、諸収差をより一層補正して高性能であることが要求されている。
【０００３】
従来、短焦点レンズでは十分なバックフォーカスを確保する必要からレトロフォーカスタイプを取ることが多い。レトロフォーカスタイプを採用して大口径比と高性能化を図った撮影レンズが知られている。
【先行技術文献】
【特許文献】
【０００４】
【特許文献１】特開２０１７―２２７７９９
【特許文献２】特開２０１４―１２３０１８
【発明の概要】
【発明が解決しようとする課題】
【０００５】
特許文献１で開示されている光学系は、非球面を多用し小型化と高性能化の両立を図っているが、絞り前後に典型的なダブルガウスタイプを採用しているため、絞り前後の向かい合う凹面で発生するサジタルコマフレアの補正が不十分であるという課題を有する。
【０００６】
特許文献２で開示されている光学系は、絞り前後を非ダブルガウスタイプにしたうえでＦ１．４程度の大口径比と高速なフォーカシングを実現しているが、軸上色収差、サジタルコマフレアをはじめとする諸収差の補正は不十分であるという課題を有する。
【０００７】
本発明はこのような状況に鑑みてなされたものであり、Ｆ１．４程度と明るく、サジタルコマフレアをはじめとした諸収差を良好に補正した撮影レンズを提供することを目的とする。
【課題を解決するための手段】
【０００８】
前述の課題を解決するための第１の発明は、物体側から順に、正の屈折力を有する前群Ｇｆ、開口絞りＳ、正の屈折力を有する後群Ｇｒから構成され、前記前群Ｇｆの最も像側に、正レンズＬｆ１と負レンズＬｆ２を接合し像側に凹面を向けたレンズ成分Ｌｆｂを配し、前記後群Ｇｒは物体側から順に、正レンズＬｒ１と負レンズＬｒ２を接合し物体側に凸面を向け、全体として負の屈折力を有するレンズ成分Ｌｒａ、物体側に凹面を向けた負レンズＬｒ３、正レンズＬｒ４を有し、下記条件式を満足することを特徴とする撮影レンズ。
（１）  １．３＜Ｆｒ／Ｆ＜２．５
（２）  −０．７＜１００×（Ｎ２−Ｎ１）／（Ｖ２−Ｖ１）＜−０．０５
Ｆｒ：前記後群Ｇｒの焦点距離
Ｆ：全系の焦点距離
Ｎ１：前記Ｌｒ１の屈折率
Ｎ２：前記Ｌｒ２の屈折率
Ｖ１：前記Ｌｒ１のアッベ数
Ｖ２：前記Ｌｒ２のアッベ数
【０００９】
第２の発明は、前記Ｌｒ１が下記条件式を満足することを特徴とする第１の発明に記載の撮影レンズ。
（３）  ＰｇＦｒ１−（−０．００１８×Ｖ１＋０．６４８３）＞０
ＰｇＦｒ１：前記正レンズＬｒ１の部分分散比
Ｖ１：前記Ｌｒ１のアッベ数
【００１０】
第３の発明は、前記前群Ｇｆの最も像側に配置される前記レンズ成分Ｌｆｂを構成する前記正レンズＬｆ１が下記条件式を満足することを特徴とする第１の発明又は第２の発明に記載の撮影レンズ。
（４）  Ｖｆ１＞５０
（５）  ＰｇＦｆ１−（−０．００１８×Ｖｆ１＋０．６４８３）＞０
Ｖｆ１：前記正レンズＬｆ１のアッベ数
ＰｇＦｆ１：前記正レンズＬｆ１の部分分散比
【００１１】
第４の発明は、下記条件式を満たすことを特徴とする第1の発明乃至第３の発明のいずれかに記載の撮影レンズ。
（６）  −１５＜（Ｒ＿ｆｉ＋Ｒ＿ｒｏ）／（Ｒ＿ｆｉ−Ｒ＿ｒｏ）＜−１
Ｒ＿ｆｉ：前記前群Ｇｆの最も像側の面の曲率半径
Ｒ＿ｒｏ：前記後群Ｇｒの最も物体側の面の曲率半径
【００１２】
第５の発明は、下記条件式を満足することを特徴とする第１の発明乃至第４の発明のいずれかに記載の撮影レンズ。
（７）  −０．９＜Ｆｒ×（Ｎ２−Ｎ１）／Ｒａｃ＜−０．０５
Ｆｒ：前記後群Ｇｒの焦点距離
Ｎ１：前記Ｌｒ１の屈折率
Ｎ２：前記Ｌｒ２の屈折率
Ｒａｃ：前記レンズ成分Ｌｒａの接合面の曲率半径
【００１３】
第６の発明は、下記条件式を満足することを特徴とする第1の発明乃至第５の発明のいずれかに記載の撮影レンズ。
（８）  −１．８＜Ｒ＿Ｌ３１／Ｄ＜−１．０
Ｒ_Ｌｒ３１：前記負レンズＬｒ３の物体側の曲率半径
Ｄ：前記開口絞りＳから前記負レンズＬｒ３の物体側の面までの光軸上の距離
【００１４】
第７の発明は、下記条件式を満足することを特徴とする第1の発明乃至第６の発明のいずれかに記載の撮影レンズ。
（９）  Ｎｐａｖｅ＜１．７５
Ｎｐａｖｅ：前記後群Ｇｒに含まれる正レンズの屈折率の平均値
【００１５】
第８の発明は、前記後群Ｇｒは、光軸から離れるにつれて負の屈折力が強くなる非球面を少なくとも1面有することを特徴とする第1の発明乃至第７の発明のいずれかに記載の撮影レンズ。
【００１６】
第９の発明は、前記前群Ｇｆは物体側から順に、正または負の屈折力を有する第１レンズ群Ｇｆ１、正の屈折力を有する第２レンズ群Ｇｆ２より構成され、無限遠から至近へのフォーカシングに際して、前記第１レンズ群Ｇｆ１を像面に対して固定し、前記第２レンズ群Ｇｆ２および後群Ｇｒが光軸上を物体側へ移動することを特徴とする第１の発明乃至第８の発明のいずれかに記載の撮影レンズ。
【発明の効果】
【００１７】
本発明は、Ｆ１．４程度と明るく、サジタルコマフレアをはじめとした諸収差を良好に補正した撮影レンズを提供することが可能となる。
【図面の簡単な説明】
【００１８】
【図１】本発明の撮影レンズの実施例１に係るレンズ構成図である。
【図２】実施例１の撮影レンズの撮影距離無限遠における縦収差図である。
【図３】実施例１の撮影レンズの撮影距離３９２ｍｍにおける縦収差図である。
【図４】実施例１の撮影レンズの撮影距離無限遠における横収差図である。
【図５】実施例１の撮影レンズの撮影距離３９２ｍｍにおける横収差図である。
【図６】本発明の撮影レンズの実施例２に係るレンズ構成図である。
【図７】実施例２の撮影レンズの撮影距離無限遠における縦収差図である。
【図８】実施例２の撮影レンズの撮影距離３９２ｍｍにおける縦収差図である。
【図９】実施例２の撮影レンズの撮影距離無限遠における横収差図である。
【図１０】実施例２の撮影レンズの撮影距離３９２ｍｍにおける横収差図である。
【図１１】本発明の撮影レンズの実施例３に係るレンズ構成図である。
【図１２】実施例３の撮影レンズの撮影距離無限遠における縦収差図である。
【図１３】実施例３の撮影レンズの撮影距離３９２ｍｍにおける縦収差図である。
【図１４】実施例３の撮影レンズの撮影距離無限遠における横収差図である。
【図１５】実施例３の撮影レンズの撮影距離３９２ｍｍにおける横収差図である。
【図１６】本発明の撮影レンズの実施例４に係るレンズ構成図である。
【図１７】実施例４の撮影レンズの撮影距離無限遠における縦収差図である。
【図１８】実施例４の撮影レンズの撮影距離３９０ｍｍにおける縦収差図である。
【図１９】実施例４の撮影レンズの撮影距離無限遠における横収差図である。
【図２０】実施例４の撮影レンズの撮影距離３９０ｍｍにおける横収差図である。
【図２１】本発明の撮影レンズの実施例５に係るレンズ構成図である。
【図２２】実施例５の撮影レンズの撮影距離無限遠における縦収差図である。
【図２３】実施例５の撮影レンズの撮影距離３７３ｍｍにおける縦収差図である。
【図２４】実施例５の撮影レンズの撮影距離無限遠における横収差図である。
【図２５】実施例５の撮影レンズの撮影距離３７３ｍｍにおける横収差図である。
【図２６】本発明の撮影レンズの実施例６に係るレンズ構成図である。
【図２７】実施例６の撮影レンズの撮影距離無限遠における縦収差図である。
【図２８】実施例６の撮影レンズの撮影距離３７３ｍｍにおける縦収差図である。
【図２９】実施例６の撮影レンズの撮影距離無限遠における横収差図である。
【図３０】実施例６の撮影レンズの撮影距離３７３ｍｍにおける横収差図である。
【発明を実施するための形態】
【００１９】
以下、本発明の実施形態にかかる撮影レンズについて説明する。なお、ｇ線、Ｆ線、ｄ線、Ｃ線に対する材料の屈折率をそれぞれＮｇ、ＮＦ、Ｎｄ、ＮＣとしたとき、当該材料のｄ線に対するアッベ数Ｖｄと、ｇ線、Ｆ線間の部分分散比ＰｇＦを下記で表す。
Ｖｄ＝（Ｎｄ−１）／（ＮＦ−ＮＣ）
ＰｇＦ＝（Ｎｇ−ＮＦ）／（ＮＦ−ＮＣ）
【００２０】
本発明の撮影レンズは、図１、図６、図１１、図１６、図２１及び図２６に示すレンズ構成図からわかるように、物体側から像側へ順に正の屈折力を有する前群Ｇｆ、開口絞りＳ、正の屈折力を有する後群Ｇｒから構成され、前記前群Ｇｆの最も像側に、正レンズＬｆ１と負レンズＬｆ２を接合し像側に凹面を向けたレンズ成分Ｌｆｂを配し、前記後群Ｇｒは、物体側から像側へ順に、正レンズＬｒ１と負レンズＬｒ２を接合し物体側に凸面を向けた負レンズ成分Ｌｒａ、物体側に凹面を向けた負レンズＬｒ３、正レンズＬｒ４を有し、下記条件式を満足することを特徴としている。
（１）  １．３＜Ｆｒ/Ｆ＜２．５
（２）  −０．７＜１００×（Ｎ２−Ｎ１）/（Ｖ２−Ｖ１）＜−０．０５
Ｆ：全系の焦点距離
Ｆｒ：後群Ｇｒの焦点距離
Ｎ１：Ｌｒ１の硝材の屈折率
Ｎ２：Ｌｒ２の硝材の屈折率
Ｖ１：Ｌｒ１の硝材のアッベ数
Ｖ２：Ｌｒ２の硝材のアッベ数
【００２１】
本願にて、レンズ成分とは、単一のレンズまたは複数枚のレンズを接合した接合レンズを表す。
【００２２】
本発明の光学系は絞り前後を非ダブルガウスタイプとすることで、ダブルガウスタイプの課題であるサジタルコマフレアをはじめとする諸収差を良好に補正したことを特徴としている。
【００２３】
広くサジタルコマフレアと呼ばれ、ときに「鳥の羽をひろげたような」と形容される特徴的なフレアの成因として周辺球面収差などの高次収差が知られている。これは大口径になるほど、画角が広くなるほど大きくなる。また曲率のきつい面や面パワーの大きい面で発生しやすく、たとえばダブルガウスタイプにおける絞り前後の向かい合うきつい凹面でサジタルコマフレアが発生しやすいことが知られている。
【００２４】
他方、ダブルガウスタイプの長所のひとつに球面収差や非点収差の補正のしやすさがあげられる。したがってダブルガウスタイプの長所を維持したままサジタルコマフレアを低減することが望ましく、諸収差を良好に補正して画角全域にわたり高解像度の画像を得ることが可能になる。
【００２５】
ところで、３次収差の領域では各収差係数は各面で個別に計算されるが、高次収差になるとその面よりも前の面の寄与を無視できない。ダブルガウスタイプでは絞り前の凹面が絞り後ろの凹面に強い影響を及ぼす。そこで絞り後ろの凹面の直前に新たなレンズ成分を挿入して光線の通り方を適切に調整すれば、非点収差や球面収差を良好に保ちつつサジタルコマフレアを低減することが可能になる。ここで挿入するべきレンズ成分は負のパワーを持つ接合レンズ成分であることが望ましい。なぜなら負のパワーを持つことで絞り前ないし後ろの凹面の収差補正を分担させることができ、かつ単レンズよりも面が多く自由度が増すのでより効果的な収差補正が可能となる。
【００２６】
本発明の光学系は以上の考察に基づくものであって、絞り直後に接合レンズ成分を配置し、かつ物体側に凸面を向けることによって、典型的なダブルガウスタイプとは性格の異なる収差補正を可能としている。
【００２７】
まず本発明の光学系は絞り前後が非対称であるため、前群・後群で補正する収差を分割し、全系として良好な収差補正としている。条件式（１）はそのための全系の適切なパワー配置を規定している。
【００２８】
条件式（１）の上限を超えて前群での軸上光線と周辺主光線の高さの差が少なくなると、収差補正の役割を分けることができず好ましくない。また、条件式（１）の下限を超えて、後群Ｇｒのパワーが強くなると、特に球面収差が悪化するため好ましくない。
【００２９】
なお条件式（１）について、望ましくは上限値を２．０、さらには下限値を１．４とすることで、前述の効果をより確実にすることができる。
【００３０】
後群Ｇｒの最も物体側に接合負レンズ成分Ｌｒａを配置している。Ｌｒａは軸上色収差補正に寄与するだけでなく、負レンズＬｒ３の球面収差、非点収差の補正を分担している。一般的に正と負の２枚のレンズからなる接合レンズが全体として負のパワーを持つためには正レンズのパワーを弱く、負レンズのパワーを強くする必要がある。したがってＬｒａにおいては正レンズに低屈折率硝材を、負レンズの高屈折率硝材を用い、いわゆる旧色消しとすることが望ましい。
【００３１】
条件式（２）は、前述の役割を持たせるためにＬｒａの２つの硝材について規定している。
【００３２】
条件式（２）の上限を超えて屈折率差が小さくなると、Ｌｒａ全体としての負のパワーが小さくなりすぎ、続くＬｒ３の物体側の面での軸上および周辺マージナル光線の入射角が大きくなり、球面収差、コマ収差が悪化する。条件式（２）の下限を超えてアッベ数差が小さくなると、軸上色収差が悪化するため好ましくない。
【００３３】
条件式（２）について、望ましくは上限値を−０．１、さらに望ましくは上限値を−０．２とし、また下限値を−０．５、さらに望ましくは下限値を−０．４とすれば、前述の効果をより確実にすることができる。
【００３４】
本発明の光学系は次の条件式を満足することを特徴とする。
（３）  ＰｇＦｒ１−（−０．００１８×Ｖ１＋０．６４８３）＞０
ＰｇＦｒ１：正レンズＬｒ１の部分分散比
Ｖ１：Ｌｒ１の硝材のアッベ数
【００３５】
条件式（３）は軸上色収差、とくに二次スペクトルの補正のためＬｒ１の硝材について規定している。Ｌｒ１は絞りに近いため、異常分散性の高い硝材を用いることで倍率色収差を悪化させることなく二次スペクトルを良好に補正することができる。
【００３６】
条件式（３）の下限値を超えて異常分散性が小さくなると、二次スペクトルの補正が不十分となり好ましくない。
【００３７】
望ましくは条件式（３）の下限値を０．０１とすることで、前述の効果をより確実にすることができる。
【００３８】
本発明の光学系は次の条件式を満足することを特徴とする。
（４）  Ｖｆ１＞５０
（５）  ＰｇＦｆ１−（−０．００１８×Ｖｆ１＋０．６４８３）＞０
Ｖｆ１：正レンズＬｆ１のアッベ数
ＰｇＦｆ１：正レンズＬｆ１の部分分散比
【００３９】
条件式（４）と条件式（５）は、軸上色収差を良好に補正するために、接合レンズＬｆｂを構成する正レンズＬｆ１の硝材に関して規定している。一般的に絞り近傍では軸上光線が高く、周辺主光線は低くなる。絞り直前の正レンズにアッベ数が高く異常分散性の高い硝材を用いることで、倍率色収差を悪化させることなく軸上色収差を良好に補正することができる。
【００４０】
条件式（４）の下限値を超えてアッベ数が小さくなると、軸上色収差の補正が不十分となり好ましくない。
【００４１】
条件式（５）の下限値を超えて異常分散性が小さくなると、二次スペクトルの補正が不十分となり好ましくない。
【００４２】
望ましくは条件式（４）の下限値を６０とすることで、前述の効果をより確実にすることができる。
【００４３】
また条件式（５）の下限値を０．００５とすることで、前述の効果をより確実にすることができる。
【００４４】
本発明の光学系は以下の条件式を満足することを特徴とする。
（６）  −１５＜（Ｒ＿ｆｉ＋Ｒ＿ｒｏ）／（Ｒ＿ｆｉ−Ｒ＿ｒｏ）＜−１ 
Ｒ＿ｆｉ：前群Ｇｆの最も像側の面の曲率半径
Ｒ＿ｒｏ：後群Ｇｒの最も物体側の面の曲率半径
【００４５】
条件式（６）は球面収差と非点収差をバランスよく良好に補正するため、絞り前後の２つの面の曲率半径の関係を規定している。
【００４６】
条件式（６）の上限を超えてＬｒａの最も物体側の凸面がゆるくなると、球面収差が過補正となり好ましくない。
【００４７】
条件式（６）の下限を超えてＬｒａの最も物体側の凸面がきつくなると、非点収差が悪化するので好ましくない。
【００４８】
条件式（６）の範囲について、望ましくは上限値を−１．５、さらには下限値を−１０とすれば、その効果をより確実にすることができる。
【００４９】
本発明の光学系は以下の条件式を満足することを特徴とする。
（７）  −０．９＜Ｆｒ×（Ｎ２−Ｎ１）／Ｒａｃ＜−０．０５
Ｆｒ：後群Ｇｒの焦点距離
Ｎ１：Ｌｒ１の硝材の屈折率
Ｎ２：Ｌｒ２の硝材の屈折率
Ｒａｃ：Ｌｒａの接合面の曲率半径
【００５０】
条件式（７）は特にサジタルコマフレアを良好に補正するため、Ｌｒａの接合面の面パワーに関して規定している。
【００５１】
Ｌｒａの接合面は、正レンズＬｒ１の像側の面および負レンズＬｒ２の物体側の面とみなすことができる。Ｌｒａ全体のパワーを維持したまま接合面の曲率を緩くすれば、Ｌｒ１とＬｒ２のそれぞれのパワーを維持するべく、正レンズＬｒ１の物体側の面と負レンズＬｒ２の像側の面の曲率はいずれもきつくなる。
【００５２】
条件式（７）の上限を超えて接合面の面パワーが弱くなると、それを補うべくＬｒａの最も像側の面の曲率がきつくなるため、サジタルコマフレアの悪化をもたらし好ましくない。
【００５３】
条件式（７）の下限を超えて接合面の曲率がきつくなるとＬｒａの最も物体側の凸面がゆるくなりすぎるため、とくに球面収差が悪化し好ましくない。
【００５４】
条件式（７）について、望ましくはその下限値を−０．６、さらには上限値を−０．２とすることで、その効果を確実にすることができる。
【００５５】
本発明の光学系は以下の条件式を満足することを特徴とする。
（８）  −１．８＜Ｒ＿Ｌｒ３１／Ｄ＜−１．０
Ｒ＿Ｌｒ３１：負レンズＬｒ３の物体側の曲率半径
Ｄ：絞りから負レンズＬｒ３の物体側の面までの光軸上の距離
【００５６】
条件式（８）は非点収差を抑えつつサジタルコマフレアを良好に補正するための条件として、負レンズＬｒ３の位置と曲率半径を規定するものである。ここで光軸上の距離は像面に向かう方向を正とする。
【００５７】
条件式（８）の上限を超えて負レンズＬｒ３の物体側の面の曲率がきつくなると、当該面に入射する周辺主光線の光線高が高くなりすぎるため、とくにサジタルコマフレアの悪化につながる。
【００５８】
条件式（８）の下限を超えて負レンズＬｒ３の物体側の面の曲率が緩くなると、負レンズＬｒ３の物体側の面が絞りに対してコンセントリックとならず、非点収差が悪化するため好ましくない。
【００５９】
条件式（８）について、望ましくは下限値を−１．７、さらには上限値を−１．１とすることで、その効果をより確実にすることができる。
【００６０】
本発明の光学系は以下の条件式を満足することを特徴とする。
（９）Ｎｐａｖｅ＜１．７５
Ｎｐａｖｅ：後群Ｇｒに含まれる正レンズの屈折率の平均値
【００６１】
条件式（９）は軸上色収差の補正のため、後群Ｇｒに含まれる正レンズの硝材に関して規定している。低屈折率高アッベ数の硝材は異常分散性の高いものが多く、二次スペクトル補正に効果的である。
【００６２】
条件式（９）の上限を超えると二次スペクトルが悪化し好ましくない。
【００６３】
望ましくは条件式（９）の上限値を１．７とすることで、その効果を確実にすることができる。
【００６４】
本発明の光学系は、後群Ｇｒ内に光軸から離れるにつれて負の屈折力が強くなる非球面を有することが望ましい。このような非球面は周辺光線の入射角を小さく保ちつつ軸上光線の入射角を大きくすることができ、軸外収差を悪化させることなく球面収差の補正に寄与する。
【００６５】
本発明の光学系において、前群Ｇｆは正または負の屈折力を有する第１レンズ群Ｇｆ１、正の屈折力を有する第２レンズ群Ｇｆ２から構成され、無限遠から至近へのフォーカシングに際して第２レンズ群Ｇｆ２と後群Ｇｒが光軸上を移動する構成とすることが望ましい。このとき、第２レンズ群Ｇｆ２と後群Ｇｒは一体となって移動してもよいし、異なる移動量で移動してもよい。このような構成にすることで、物体距離の変動による球面収差、非点収差の変動を軽減することができる。
【００６６】
次に、本発明の光学系に係る実施例のレンズ構成について説明する。なお、以下の説明ではレンズ構成を物体側から像側の順番で記載する。
【００６７】
［面データ］において、面番号は物体側から数えたレンズ面又は開口絞りの番号、ｒは各面の曲率半径、ｄは各面の間隔、ｎｄはｄ線（波長λ＝５８７．５６ｎｍ）に対する屈折率、νｄはｄ線に対するアッベ数、ＰｇＦはｇ線とＦ線間の部分分散比を示す。またＢＦはバックフォーカスを表す。
【００６８】
面番号を付した（開口絞り）には、平面または開口絞りに対する曲率半径∞（無限大）を記入している。
【００６９】
［非球面データ］には［面データ］において＊を付したレンズ面の非球面形状を与える各係数値を示している。非球面の形状は、光軸に直交する方向への変位をｙ、非球面と光軸の交点から光軸方向への変位（サグ量）をｚ、コーニック係数をＫ、４、６、８、１０、１２次の非球面係数をそれぞれＡ４、Ａ６、Ａ８、Ａ１０、Ａ１２と置くとき、非球面の座標が以下の式で表わされるものとする。
2019197130.tif 000003
【００７０】
［各種データ］には、焦点距離などの値を示している。
【００７１】
［可変間隔データ］には、各撮影距離状態における可変間隔及びＢＦ（バックフォーカス）の値を示している。
【００７２】
［レンズ群データ］には、各レンズ群を構成する最も物体側の面番号及び群全体の合成焦点距離を示している。
【００７３】
なお、以下の全ての諸元の値において、記載している焦点距離ｆ、曲率半径ｒ、レンズ面間隔ｄ、その他の長さの単位は特記のない限りミリメートル（ｍｍ）を使用するが、光学系では比例拡大と比例縮小とにおいても同等の光学性能が得られるので、これに限られるものではない。
【００７４】
また、各実施例に対応する収差図において、ｄ、ｇ、Ｃはそれぞれｄ線、ｇ線、Ｃ線を表しており、ΔＳ、ΔＭはそれぞれサジタル像面、メリジオナル像面を表している。
【００７５】
さらに図１、６、１１、１６、２１、２６に示すレンズ構成図において、Ｓは開口絞り、Ｉは像面、Ｆは光学フィルター、中心を通る一点鎖線は光軸である。
【実施例１】
【００７６】
図１は、本発明の実施例１の光学系のレンズ構成図である。図１の撮影レンズは物体側から順に、正の屈折力を有する前群Ｇｆ、開口絞りＳ、正の屈折力を有する後群Ｇｒから構成されている。
【００７７】
前群Ｇｆは物体側から順に、負の屈折力を有する第１レンズ群Ｇｆ１、正の屈折力を有する第２レンズ群Ｇｆ２から構成されている。
【００７８】
第１レンズ群Ｇｆ１は物体側から順に、物体側に凸面を向けた正メニスカスレンズ、物体側に凸面を向けた負メニスカスレンズ、物体側に凸面を向けた負メニスカスレンズ、両凹レンズと両凸レンズを接合し物体側に凹面を向けた接合レンズ成分、両凸レンズから構成されている。
【００７９】
第２レンズ群Ｇｆ２は物体側から順に、両凸レンズ、両凸レンズＬｆ１と両凹レンズＬｆ２を接合し像側に凹面を向けたレンズ成分Ｌｆｂから構成されている。
【００８０】
後群Ｇｒは物体側から順に、両凸レンズＬｒ１と両凹レンズＬｒ２を接合し物体側に凸面を向け、全体として負の屈折力を持つレンズ成分Ｌｒａ、物体側に凹面を向けた負メニスカスレンズＬｒ３、両凸の正レンズＬｒ４、像側に凸の正メニスカスレンズＬｒ５から構成されている。また前記Ｌｒ５の両側のレンズ面は所定の非球面形状となっている。
【００８１】
さらに、無限遠から至近へのフォーカシングに際して 、第１レンズ群Ｇｆ１を像面に対して固定し、第２レンズ群Ｇｆ２と後群Ｇｒが異なる移動量で物体側へ移動する。開口絞りＳは後群Ｇｒに付随して移動する。また光学フィルターＦは後群Ｇｒと像面Ｉとの間に配置されている。
【００８２】
続いて以下に実施例１に係る撮影レンズの諸元値を示す。
数値実施例1
単位：mm
[面データ]
面番号         r          d       nd      vd     PgF
物面            ∞      (d0)
1        100.1781    5.1152  1.88300   40.80   0.57
2        263.6399    0.1500
3         96.7438    1.5000  1.43700   95.10   0.53
4         30.2768   10.2323
5        142.4961    1.5000  1.43700   95.10   0.53
6         39.8179   12.5390
7        -44.9109    1.5000  1.80518   25.46   0.62
8         43.7275   19.2720  1.69700   48.52   0.56
9        -70.7862    1.4794
10        92.7996    5.4873  1.88300   40.80   0.57
11     -1496.7015     (d11)
12        84.9103    6.3511  1.92286   20.88   0.64
13      -403.8437    2.6597
14        62.1843   12.5177  1.59282   68.63   0.54
15       -40.7651    1.5000  1.58144   40.89   0.58
16        34.4234     (d16)
（絞り）          ∞    1.5000
18        42.5229    9.9618  1.43700   95.10   0.53
19       -26.9843    1.5000  1.64769   33.84   0.59
20        48.3757    6.4302
21       -27.6987    1.5000  1.64769   33.84   0.59
22       -89.0606    0.1500
23        79.4854    7.1914  1.59282   68.63   0.54
24       -34.9648    0.1500
25*     -1000.0176    3.1425  1.85135   40.10   0.57
26*       -62.8954     (d26)
27             ∞    1.4500  1.52301   58.59   0.54
28             ∞        BF
像面            ∞
[非球面データ]
25面          26面
K          0.00000        0.00000
A4    -2.06891E-06    2.59962E-06
A6    -2.90337E-09   -2.22211E-09
A8     2.62013E-11    2.68513E-11
A10    -5.94009E-15    0.00000E+00
A12     0.00000E+00    0.00000E+00
[各種データ]
INF         392
焦点距離      41.29       41.48
Fナンバー       1.47        1.67
全画角2ω      55.77       51.90
像高Y        21.63       21.63
レンズ全長    170.00      170.00
[可変間隔データ]
INF        392
d0            ∞    222.5038
d11        7.3395      1.3052
d16        8.5678      7.2817
d26       38.3130     45.6334
BF        1.0000      1.0000
[レンズ群データ]
群         始面      焦点距離
Gf1           1       -276.75
Gf2          12        102.97
Gr          18         66.22
【実施例２】
【００８３】
図６は、本発明の実施例２の光学系のレンズ構成図である。図６の撮影レンズは物体側から順に、正の屈折力を有する前群Ｇｆ、開口絞りＳ、正の屈折力を有する後群Ｇｒから構成されている。
【００８４】
前群Ｇｆは物体側から順に、負の屈折力を有する第１レンズ群Ｇｆ１、正の屈折力を有する第２レンズ群Ｇｆ２から構成されている。
【００８５】
第１レンズ群Ｇｆ１は物体側から順に、物体側に凸面を向けた正メニスカスレンズ、物体側に凸面を向けた負メニスカスレンズ、物体側に凸面を向けた負メニスカスレンズ、両凹レンズと両凸レンズを接合した接合レンズ成分、両凸の正レンズから構成されている。
【００８６】
第２レンズ群Ｇｆ２は物体側から順に、両凸の正レンズ、両凸レンズＬｆ１と両凹レンズＬｆ２を接合し像側に凹面を向けたレンズ成分Ｌｆｂから構成されている。
【００８７】
後群Ｇｒは物体側から順に、両凸の正レンズＬｒ１と両凹の負レンズＬｒ２を接合し物体側に凸面を向け、全体として負の屈折力を持つレンズ成分Ｌｒａ、物体側に凹面を向けた負メニスカスレンズＬｒ３、両凸の正レンズＬｒ４、像側に凸面を向けた正メニスカスレンズＬｒ５から構成されている。また前記Ｌｒ１の物体側のレンズ面と前記Ｌｒ５の物体側のレンズ面は所定の非球面形状となっている。
【００８８】
さらに、無限遠から至近へのフォーカシングに際して、第１レンズ群Ｇｆ１を像面に対して固定し、第２レンズ群Ｇｆ２と後群Ｇｒが異なる移動量で物体側へ移動する。開口絞りＳは後群Ｇｒに付随して移動する。また光学フィルターＦは後群Ｇｒと像面Ｉとの間に配置されている。
【００８９】
続いて以下に実施例２に係る撮影レンズの諸元値を示す。
数値実施例2
単位：mm
[面データ]
面番号          r            d     nd     vd     PgF
物面            ∞       (d0)
1       115.1546     5.8945  1.88300  40.80  0.57
2       975.3495     0.1500
3       422.2284     1.5000  1.43700  95.10  0.53
4        32.2391     9.3740
5       122.5492     1.5000  1.43700  95.10  0.53
6        38.3846    13.8385
7       -44.1184     1.5000  1.78472  25.72  0.62
8        51.7057    16.4321  1.61997  63.88  0.54
9       -61.5358     0.1682
10        97.6477     6.0683  1.88300  40.80  0.57
11      -591.6935      (d11)
12        87.4079     6.9985  1.92286  20.88  0.64
13      -296.8665     6.6293
14        86.0770    11.8213  1.59282  68.63  0.54
15       -37.0626     1.5000  1.59270  35.44  0.59
16        43.4826      (d16)
（絞り）          ∞     1.5000
18*        53.7133   12.4441  1.49710  81.56  0.54
19          -26.21    1.5083  1.58144  40.89  0.58
20          51.676    6.3935
21        -26.2564    1.5000  1.64769  33.84  0.59
22       -100.3054    0.1500
23         72.5553    6.8628  1.59282  68.63  0.54
24        -36.6793    0.1500
25*      -299.6342    2.8782  1.85135  40.10  0.57
26        -59.8585     d(26)
27              ∞    1.4500  1.52301  58.59  0.54
28              ∞        BF
像面             ∞
[非球面データ]
18面            25面
K            0.00000         0.00000
A4        1.21164E-07    -5.61743E-06
A6        1.33169E-10    -8.14410E-10
A8       -1.53784E-12    -5.21594E-12
A10       5.36290E-15     2.91778E-15
A12       0.00000E+00     0.00000E+00
[各種データ]
INF          392
焦点距離          41.07        41.46
Fナンバー          1.45         1.64
全画角2ω         56.03        51.81
像高Y           21.63        21.63
レンズ全長        170.00       170.00
[可変間隔データ]
INF          392
d0                ∞      222.5081
d11            6.1665        0.1797
d16            8.0718        6.6034
d26           36.5500       44.0052
BF            1.0000        1.0000
[レンズ群データ]
群          始面          焦点距離
Gf1           1            -197.34
Gf2          12             101.01
Gr           18              65.93
【実施例３】
【００９０】
図１１は、本発明の実施例３の光学系のレンズ構成図である。図１１の撮影レンズは物体側から順に、正の屈折力を有する前群Ｇｆ、開口絞りＳ、正の屈折力を有する後群Ｇｒから構成されている。
【００９１】
前群Ｇｆは全体として正の屈折力を有し、物体側から順に負の屈折力を有する第１レンズ群Ｇｆ１、正の屈折力を有する第２レンズ群Ｇｆ２から構成されている。
【００９２】
第１レンズ群Ｇｆ１は物体側から順に、物体側に凸面を向けた正メニスカスレンズと物体側に凸面を向けた負メニスカスレンズを接合し、物体側に凸面を向けた負レンズ成分、物体側に凸面を向けた負メニスカスレンズ、両凹レンズと両凸レンズを接合したレンズ成分、両凸の正レンズから構成されている。
【００９３】
第２レンズ群Ｇｆ２は物体側から順に、両凸レンズ、両凸レンズＬｆ１と両凹レンズＬｆ２を接合し像側に凹面を向けたレンズ成分Ｌｆｂから構成されている。
【００９４】
後群Ｇｒは物体側から順に、両凸の正レンズＬｒ１と両凹の負レンズＬｒ２を接合し物体側に凸面を向け、全体として負の屈折力を持つレンズ成分Ｌｒａ、物体側に凹面を向けた負メニスカスレンズＬｒ３、両凸の正レンズＬｒ４、像側に凸面を向けた正メニスカスレンズＬｒ５から構成されている。また前記Ｌｒ５の両側のレンズ面は所定の非球面形状となっている。
【００９５】
さらに、無限遠から至近へのフォーカシングに際して、第１レンズ群Ｇｆ１を像面に対して固定し、第２レンズ群Ｇｆ２と後群Ｇｒが異なる移動量で物体側へ移動する。開口絞りＳは後群Ｇｒに付随して移動する。また光学フィルターＦは後群Ｇｒと像面Ｉとの間に配置されている。
【００９６】
続いて以下に実施例３に係る撮影レンズの諸元値を示す。
数値実施例3
単位：mm
[面データ]
面番号          r         d      nd      vd   PgF
物面           ∞      (d0)
1       78.7591    5.6379  1.88300  40.80  0.57
2      177.7058    1.5000  1.49700  81.61  0.54
3       36.0637    8.2831
4      103.2502    1.5000  1.51823  58.96  0.54
5       51.2202   12.9512
6      -52.7660    1.5000  1.78472  25.72  0.62
7       56.3892   11.9542  1.59282  68.63  0.54
8     -111.2883    4.3529
9      134.5725    8.6509  1.90043  37.37  0.58
10     -118.3131     (d10)
11       78.4167    6.0793  1.92286  20.88  0.64
12     1224.2161    0.1500
13       42.9153   14.3576  1.59282  68.63  0.54
14      -54.8439    1.5000  1.58144  40.89  0.58
15       26.6838     (d15)
（絞り）         ∞    1.5000
17       71.6768    8.3783  1.55032  75.50  0.54
18        -25.36    1.5000  1.64769  33.84  0.59
19       62.5184    5.8251
20      -26.5654    1.5000  1.69895  30.05  0.60
21     -137.5349    1.2012
22        89.264    6.5317  1.59282  68.63  0.54
23      -37.0865    0.1500
24*    -600.0000    5.4368  1.88202  37.22  0.58
25*     -56.2362     (d25)
26            ∞    1.4500  1.52301  58.59  0.54
27            ∞        BF
像面           ∞
[非球面データ]
24面           25面
K            0.00000        0.00000
A4       -1.30009E-06    2.69852E-06
A6        2.42601E-09    2.42526E-09
A8        1.07857E-11    1.27803E-11
A10      -1.83824E-15    0.00000E+00
A12       0.00000E+00    0.00000E+00
[各種データ]
INF          392
焦点距離          48.50        47.72
Fナンバー          1.45         1.71
全画角2ω         48.50        44.97
像高Y           21.63        21.63
レンズ全長        170.00       170.00
[可変間隔データ]
INF          392
d0                ∞     222.5000
d10           8.7131       1.2559
d15          11.7899       9.1854
d25          36.6069      46.6686
BF            1.0000       1.0000
[レンズ群データ]
群          始面        焦点距離
Gf1           1          -896.90
Gf2          11           113.47
Gr           17            68.87
【実施例４】
【００９７】
図１６は、本発明の実施例４の光学系のレンズ構成図である。図１６の撮影レンズは物体側から順に、正の屈折力を有する前群Ｇｆ、開口絞りＳ、正の屈折力を有する後群Ｇｒから構成されている。
【００９８】
前群Ｇｆは物体側から順に、正の屈折力を有する第１レンズ群Ｇｆ１、正の屈折力を有する第２レンズ群Ｇｆ２から構成されている。
【００９９】
第１レンズ群Ｇｆ１は物体側から順に、物体側に凸面を向けた負メニスカスレンズ、両凸レンズと両凹レンズを接合したレンズ成分、両凹レンズと両凸レンズを接合したレンズ成分、両凸の正レンズから構成されている。
【０１００】
第２レンズ群Ｇｆ２は正の屈折力を有し、物体側から順に物体側に凸面を向けた正メニスカスレンズ、両凸の正レンズＬｆ１と両凹の負レンズＬｆ２を接合し像側に凹面を向けたレンズ成分Ｌｆｂから構成されている。
【０１０１】
後群Ｇｒは物体側から順に、両凸の正レンズＬｒ１と両凹の負レンズＬｒ２を接合し、物体側に凸面を向けた全体として負の屈折力を持つレンズ成分Ｌｒａ、物体側に凹面を向けた負メニスカスレンズＬｒ３、両凸の正レンズＬｒ４、像側に凸面を向けた正メニスカスレンズＬｒ５から構成されている。また前記Ｌｒ５の両側のレンズ面は所定の非球面形状となっている。
【０１０２】
さらに、無限遠から至近へのフォーカシングに際して、第１レンズ群Ｇｆ１を像面に対して固定し、第２レンズ群Ｇｆ２と開口絞りＳ及び後群Ｇｒが異なる移動量で物体側へ移動する。開口絞りＳは後群Ｇｒに付随して移動する。また光学フィルターＦは後群Ｇｒと像面Ｉとの間に配置されている。
【０１０３】
続いて以下に実施例４に係る撮影レンズの諸元値を示す。
数値実施例4
単位：mm
[面データ]
面番号      r         d        nd     vd    PgF
物面          ∞     (d0)
1     132.7712   1.5000  1.59270  35.44  0.59
2      35.9816   7.8270
3     102.3907   9.2006  1.77250  49.62  0.55
4     -76.4209   1.5000  1.49700  81.61  0.54
5      41.5099  12.1729
6     -45.3374   1.5000  1.80518  25.46  0.62
7      43.2101  15.2072  1.80420  46.50  0.56
8     -83.7323   3.8958
9      88.1166   7.1343  1.92286  20.88  0.64
10    -182.5786    (d10)
11      84.8942   4.1496  1.90043  37.37  0.58
12     343.6632   0.6202
13      58.9249  12.0711  1.59282  68.63  0.54
14     -40.3057   1.5000  1.58144  40.89  0.58
15      35.3966    (d15)
（絞り）        ∞   1.5000
17      50.3156   8.8789  1.43700  95.10  0.53
18     -25.7532   1.5000  1.62004  36.30  0.59
19      56.7132   6.4376
20     -24.1218   1.5000  1.75520  27.53  0.61
21     -56.3815   0.1500
22      95.9432   7.0264  1.59282  68.63  0.54
23     -32.6263   0.1500
24*   -111.9924   3.1413  1.85135  40.10  0.57
25*    -44.2632    (d25)
26           ∞   1.4500  1.52301  58.59  0.54
27           ∞       BF
像面          ∞
[非球面データ]
24面           25面
K            0.00000        0.00000
A4       -4.89989E-06    1.02163E-06
A6       -3.55578E-09   -1.95928E-09
A8        4.13008E-11    3.67634E-11
A10      -1.47483E-14    0.00000E+00
A12        0.0000E+00    0.00000E+00
[各種データ]
INF         390
焦点距離          40.75        40.11
Fナンバー          1.45         1.65
全画角2ω         56.39        53.57
像高Y           21.63        21.63
レンズ全長        167.60       167.60
[可変間隔データ]
INF         390
d0                ∞     222.5000
d10          12.6800       4.9149
d15           6.8571       7.9950
d25          37.0499      43.6771
BF            1.0000       1.0000
[レンズ群データ]
群          始面       焦点距離
Gf1           1         170.96
Gf2          11         217.52
Gr           17          70.04
【実施例５】
【０１０４】
図２１は、本発明の実施例５の光学系のレンズ構成図である。図２１の撮影レンズは物体側から順に、正の屈折力を有する前群Ｇｆ、開口絞りＳ、正の屈折力を有する後群Ｇｒから構成されている。
【０１０５】
前群Ｇｆは物体側から順に正の屈折力を有する第１レンズ群Ｇｆ１、正の屈折力を有する第２レンズ群Ｇｆ２から構成されている。
【０１０６】
第１レンズ群Ｇｆ１は物体側から順に、物体側に凸面を向けた負メニスカスレンズ、正メニスカスレンズト負メニスカスレンズを接合し物体側に凸面を向けたレンズ成分、両凹の負レンズと両凸の正レンズを接合したレンズ成分、両凸の正レンズから構成されている。また第１レンズ群Ｇｆ１の最も物体側に配置されている負メニスカスレンズの物体側の面は所定の非球面形状となっている。
【０１０７】
第２レンズ群Ｇｆ２は物体側から順に、物体側に凸面を向けた正メニスカスレンズ、両凸の正レンズＬｆ１と両凹の負レンズＬｆ２を接合し像側に凹面を向けたレンズ成分Ｌｆｂから構成されている。また前記正レンズＬｆ１の物体側の面は所定の非球面形状となっている。
【０１０８】
後群Ｇｒは物体側から順に、両凸の正レンズＬｒ１と両凹の負レンズＬｒ２を接合し物体側に凸面を向け、全体として負の屈折力を持つレンズ成分Ｌｒａ、物体側に凹面を向けた負メニスカスレンズＬｒ３、両凸の正レンズＬｒ４、像側に凸面を向けた正メニスカスレンズＬｒ５から構成されている。また前記Ｌｒ５の物体側の面は所定の非球面形状となっている。
【０１０９】
さらに、無限遠から至近へのフォーカシングに際して、第１レンズ群Ｇｆ１を像面に対して固定し、第２レンズ群Ｇｆ２と開口絞りＳ及び後群Ｇｒが一体となって物体側へ移動する。また光学フィルターＦは後群Ｇｒと像面Ｉとの間に配置されている。
【０１１０】
続いて以下に実施例５に係る撮影レンズの諸元値を示す。
数値実施例5
単位：mm
[面データ]
面番号       r         d        nd      vd   PgF
物面          ∞      (d0)
1*      64.2552    1.5000  1.59201  67.02  0.54
2      28.4746    7.6714
3      53.3747    6.0662  1.72916  54.67  0.55
4     248.4045    1.5000  1.43700  95.10  0.53
5      26.7947   13.7455
6     -41.3072    1.5000  1.71736  29.50  0.60
7      34.7840   14.2930  1.72916  54.67  0.55
8    -105.7513    0.5051
9      73.3762    6.5450  1.88300  40.80  0.57
10    -166.6276     (d10)
11      52.8534    6.2718  1.92286  20.88  0.64
12   -2028.2715    0.1500
13*    187.0149    6.4787  1.55332  71.68  0.54
14     -53.6930    1.5000  1.62004  36.30  0.59
15      34.4765    6.6544
（絞り）        ∞    1.5000
17      42.5887    9.7456  1.55032  75.50  0.54
18     -23.7752    1.5000  1.67270  32.17  0.60
19      49.1845    6.2863
20      -24.332    1.5000  1.73800  32.26  0.59
21     -82.6306    0.1500
22      63.8891    7.3518  1.59282  68.63  0.54
23     -33.3785    0.1500
24*   -449.7696    2.9789  1.88202  37.22  0.58
25     -57.3043     (d25)
26           ∞    1.4500  1.52301  58.59  0.54
27           ∞        BF
像面          ∞
[非球面データ]
1面          13面          24面
K           0.00000       0.00000       0.00000
A4       1.58447E-06  -1.44376E-08  -7.56161E-06
A6       3.24089E-10   9.61001E-11  -1.26578E-09
A8      -1.85822E-13   1.75142E-12  -8.33470E-12
A10      2.81751E-16  -4.11611E-16   8.80688E-16
A12     -1.57674E-19   0.00000E+00   0.00000E+00
[各種データ]
INF         373
焦点距離          36.05        35.77
Fナンバー          1.47         1.59
全画角2ω         62.44        59.82
像高Y           21.63        21.63
レンズ全長        150.00       150.00
[可変間隔データ]
INF         373
d0                ∞     222.5000
d10           5.4562       0.1500
d25          36.5502      41.8564
BF            1.0000       1.0000
[レンズ群データ]
群          始面       焦点距離
Gf1           1         408.26
Gf2          11         218.53
Gr           17          57.81
【実施例６】
【０１１１】
図２６は、本発明の実施例６の光学系のレンズ構成図である。図２６の撮影レンズは物体側から順に、正の屈折力を有する前群Ｇｆ、開口絞りＳ、正の屈折力を有する後群Ｇｒから構成されている。
【０１１２】
前群Ｇｆは物体側から順に正の屈折力を有する第１レンズ群Ｇｆ１、正の屈折力を有する第２レンズ群Ｇｆ２から構成されている。
【０１１３】
第１レンズ群Ｇｆ１は物体側から順に、物体側に凸面を向けた負メニスカスレンズ、物体側に凸面を向けた負メニスカスレンズ、両凹の負レンズと両凸の正レンズを接合したレンズ成分、両凸の正レンズから構成されている。また第１レンズ群Ｇｆ１の最も物体側に配置されている負メニスカスレンズの物体側の面は所定の非球面形状となっている。
【０１１４】
第２レンズ群Ｇｆ２は物体側から順に、物体側に凸面を向けた正メニスカスレンズ、両凸の正レンズＬｆ１と両凹の負レンズＬｆ２を接合し像側に凹面を向けたレンズ成分Ｌｆｂから構成されている。また前記正レンズＬｆ１の物体側の面は所定の非球面形状となっている。
【０１１５】
後群Ｇｒは物体側から順に、両凸の正レンズＬｒ１と両凹の負レンズＬｒ２を接合し物体側に凸面を向け、全体として負の屈折力を持つレンズ成分Ｌｒａ、物体側に凹面を向けた負メニスカスレンズＬｒ３、両凸の正レンズＬｒ４、像側に凸面を向けた正メニスカスレンズＬｒ５から構成されている。また前記Ｌｒ１の物体側の面と前記Ｌｒ５の両側の面は所定の非球面形状となっている。
【０１１６】
さらに、無限遠から至近へのフォーカシングに際して、第１レンズ群Ｇｆ１を像面に対して固定し、第２レンズ群Ｇｆ２と開口絞りＳ及び後群Ｇｒが一体となって物体側へ移動する。また光学フィルターＦは後群Ｇｒと像面Ｉとの間に配置されている。
【０１１７】
続いて以下に実施例６に係る撮影レンズの諸元値を示す。
数値実施例6
単位：mm
[面データ]
面番号       r        d         nd     vd    PgF
物面          ∞     (d0)
1*      46.1299   3.3854   1.59201  67.02  0.54
2      22.4285  11.4787
3      91.5740   1.5000   1.43700  95.10  0.53
4      27.7803  15.0994
5     -31.2266   1.5000   1.72825  28.32  0.61
6      49.9490  10.1931   1.72916  54.67  0.55
7     -46.4217   0.1500
8      78.8421   6.0489   1.95375  32.32  0.59
9    -152.9680     (d9)
10      47.8564   6.1460   1.92286  20.88  0.64
11    -788.7197   0.1500
12*    925.8164   4.8765   1.49710  81.56  0.54
13     -64.2443   1.5000   1.74077  27.76  0.61
14      43.3425   7.6676
（絞り）        ∞   2.3148
16*     70.2434   8.7280   1.49710  81.56  0.54
17      -20.983   1.5000   1.69895  30.05  0.60
18      200.000   4.6431
19     -26.2026   1.5000   1.91082  35.25  0.58
20     -55.9194   0.1500
21      55.1449   8.4521   1.59282  68.63  0.54
22     -29.8944   0.1500
23*   -128.2815   3.1153   1.88202  37.22  0.58
24*    -54.2341    (d24)
25           ∞   1.4500   1.52301  58.59  0.54
26           ∞       BF
像面          ∞
[非球面データ]
1面           12面           16面
K            0.00000       0.00000        0.00000
A4        2.77355E-06   3.28527E-06    7.35036E-07
A6        9.41383E-10  -5.08432E-10    4.34499E-09
A8        1.85798E-12   3.95977E-12   -3.95443E-12
A10      -1.60700E-15   0.00000E+00    0.00000E+00
A12       2.39390E-18   0.00000E+00    0.00000E+00
23面           24面
K            0.00000        0.00000
A4       -2.68432E-05   -1.58542E-05
A6       -2.67387E-08   -2.14489E-08
A8       -1.27059E-10   -5.59706E-11
A10       4.77755E-13    2.86893E-13
A12       0.00000E+00    0.00000E+00
[各種データ]
INF         373
焦点距離          28.84        28.59
Fナンバー          1.45         1.54
全画角2ω         74.29        72.75
像高Y           21.63        21.63
レンズ全長        150.00       150.00
[可変間隔データ]
INF         373
d0                ∞     222.5051
d9           10.7511       7.3580
d24          36.5501      39.9432
BF            1.0000       1.0000
[レンズ群データ]
群          始面       焦点距離
Gf1           1         196.57
Gf2          10         329.92
Gr           16          51.48
【０１１８】
以下に上記の各実施例に対応する条件式対応値を示す。
条件式／実施例                     1      2      3
(1)                       Ｆｒ/Ｆ                       1.60   1.61   1.42
(2)       １００×（Ｎ２−Ｎ１）/（Ｖ２−Ｖ１）        -0.34  -0.21  -0.23
(3) ＰｇＦｒ１−（−０．００１８×Ｖ１＋０．６４８３）  0.05   0.04   0.03
(4)                       Ｖｆ１                       68.63  68.63  68.63
(5)ＰｇＦｆ１−（−０．００１８×Ｖｆ１＋０．６４８３） 0.02   0.02   0.02
(6)   （Ｒ＿ｆｉ＋Ｒ＿ｒｏ）/（Ｒ＿ｆｉ−Ｒ＿ｒｏ）    -9.50  -9.50  -2.19
(7)             Ｆｒ×（Ｎ２−Ｎ１）/Ｒaｃ             -0.52  -0.21  -0.26
(8)                   Ｒ＿Ｌ３１/Ｄ                    -1.43  -1.20  -1.54
(9)                     Ｎｐａｖｅ                      1.63   1.65   1.68
条件式／実施例                  4       5     6
(1)                       Ｆｒ/Ｆ                       1.72   1.60   1.78
(2)       １００×（Ｎ２−Ｎ１）/（Ｖ２−Ｖ１）        -0.31  -0.28  -0.39
(3) ＰｇＦｒ１−（−０．００１８×Ｖ１＋０．６４８３）  0.05   0.02   0.04
(4)                       Ｖｆ１                       68.63  71.68  81.56
(5)ＰｇＦｆ１−（−０．００１８×Ｖｆ１＋０．６４８３） 0.02   0.02   0.04
(6)   （Ｒ＿ｆｉ＋Ｒ＿ｒｏ）/（Ｒ＿ｆｉ−Ｒ＿ｒｏ）    -5.75  -9.50  -4.22
(7)             Ｆｒ×（Ｎ２−Ｎ１）/Ｒaｃ             -0.50  -0.30  -0.50
(8)                   Ｒ＿Ｌ３１/Ｄ                    -1.32  -1.28  -1.52
(9)                     Ｎｐａｖｅ                      1.63   1.68   1.66
【符号の説明】
【０１１９】
Ｇｆ        前群
Ｇｆ１      第１レンズ群
Ｇｆ２      第２レンズ群
Ｇｒ        後群
Ｓ          開口絞り
Ｆ          光学フィルタ
Ｉ          像面
【図１】
2019197130.tif 000004
【図２】
2019197130.tif 000005
【図３】
2019197130.tif 000006
【図４】
2019197130.tif 000007
【図５】
2019197130.tif 000008
【図６】
2019197130.tif 000009
【図７】
2019197130.tif 000010
【図８】
2019197130.tif 000011
【図９】
2019197130.tif 000012
【図１０】
2019197130.tif 000013
【図１１】
2019197130.tif 000014
【図１２】
2019197130.tif 000015
【図１３】
2019197130.tif 000016
【図１４】
2019197130.tif 000017
【図１５】
2019197130.tif 000018
【図１６】
2019197130.tif 000019
【図１７】
2019197130.tif 000020
【図１８】
2019197130.tif 000021
【図１９】
2019197130.tif 000022
【図２０】
2019197130.tif 000023
【図２１】
2019197130.tif 000024
【図２２】
2019197130.tif 000025
【図２３】
2019197130.tif 000026
【図２４】
2019197130.tif 000027
【図２５】
2019197130.tif 000028
【図２６】
2019197130.tif 000029
【図２７】
2019197130.tif 000030
【図２８】
2019197130.tif 000031
【図２９】
2019197130.tif 000032
【図３０】
2019197130.tif 000033